(57)【要約】本発明は、隣接基地局の第１休止時間の区間情報を受信する受信部と、前記第１休止時間の区間情報に基づいて前記隣接基地局が用いる第１周波数帯域に対する第１周波数帯域の測定情報を算出する周波数帯域測定部と、前記第１周波数帯域の測定情報に基づいて周波数帯域を交換するか否かを決定する周波数帯域交換決定部と、前記決定に応じて、前記第１周波数帯域を用いて端末機にデータを送信する送信部とを含むことを特徴とする基地局からなり、複数の基地局が用いる周波数帯域を交換する装置及び方法を提供する。
2011526766.tif 000002
【特許請求の範囲】
【請求項１】
基地局であって、
隣接基地局の第１休止時間区間情報を受信する受信部と、
前記第１休止時間区間情報に基づいて前記隣接基地局が用いる第１周波数帯域に対する第１周波数帯域の測定情報を算出する周波数帯域測定部と、
前記第１周波数帯域の測定情報に基づいて周波数帯域を交換するか否かを決定する周波数帯域交換決定部と、
前記決定に応じて前記第１周波数帯域を用いて端末機にデータを送信する送信部と、
を含むことを特徴とする基地局。
【請求項２】
前記周波数帯域測定部は、前記第１休止時間区間の間に前記第１周波数帯域に対する干渉及び雑音の強度を測定することを特徴とする請求項１に記載の基地局。
【請求項３】
前記送信部は、前記隣接基地局に前記第１休止時間区間情報を要求するメッセージを送信し、前記第１休止時間区間は、前記第１休止時間区間情報要求メッセージに応答して設定されることを特徴とする請求項１に記載の基地局。
【請求項４】
前記周波数帯域交換決定部は、前記第１周波数帯域の測定情報を閾値と比較し、比較結果に応じて周波数帯域を交換するか否かを決定することを特徴とする請求項１に記載の基地局。
【請求項５】
前記周波数帯域測定部は、前記基地局が用いる第２周波数帯域に対する第２周波数帯域の測定情報を算出し、前記周波数帯域交換決定部は、前記第１周波数帯域の測定情報と前記第２周波数帯域の測定情報とを比較して周波数帯域を交換するか否かを決定することを特徴とする請求項１に記載の基地局。
【請求項６】
前記周波数帯域交換決定部は、前記第１周波数帯域と、前記基地局がさらに用いる第３周波数帯域が隣接し、前記第２周波数帯域と前記第３周波数帯域が離隔している場合に、前記第１周波数帯域と前記第２周波数帯域を交換すると決定することを特徴とする請求項１に記載の基地局。
【請求項７】
前記送信部は、前記決定に応じて周波数帯域の交換要求メッセージを前記隣接基地局に送信し、
前記受信部は、前記周波数帯域の交換要求メッセージに応答して周波数帯域の交換メッセージを受信し、
前記送信部は、周波数帯域の交換メッセージに応じて前記データを送信することを特徴とする請求項１に記載の基地局。
【請求項８】
前記周波数帯域の交換要求メッセージは、前記基地局の第２周波数帯域に対する第２休止時間区間情報を含み、前記周波数帯域の交換要求メッセージは前記第２休止時間区間情報に基づいて生成されることを特徴とする請求項７に記載の基地局。
【請求項９】
前記基地局が用いる第２周波数帯域に対する第２休止時間区間を設定する制御部をさらに含み、前記送信部は、前記第２休止時間区間には前記第２周波数帯域を用いて第２端末機にデータを送信しないことを特徴とする請求項１に記載の基地局。
【請求項１０】
前記制御部は、前記第１休止時間区間と前記第２休止時間区間が重ならないように前記第２休止時間区間を設定することを特徴とする請求項９に記載の基地局。
【請求項１１】
隣接基地局の第１休止時間区間情報を受信するステップと、
前記第１休止時間区間情報に基づいて前記隣接基地局が用いる第１周波数帯域に対する第１周波数帯域の測定情報を算出するステップと、
前記第１周波数帯域の測定情報に基づいて周波数帯域を交換するか否かを決定するステップと、
前記決定に応じて前記第１周波数帯域を用いて端末機にデータを送信するステップと、
を含むことを特徴とする周波数帯域の交換方法。
【請求項１２】
前記第１周波数帯域の測定情報を算出するステップは、前記第１休止時間区間の間に前記第１周波数帯域に対する干渉及び雑音の強度を測定することを特徴とする請求項１１に記載の周波数帯域の交換方法。
【請求項１３】
前記周波数帯域を交換するか否かを決定するステップは、前記第１周波数帯域の測定情報を閾値と比較し、比較結果に応じて周波数帯域を交換するか否かを決定することを特徴とする請求項１に記載の周波数帯域の交換方法。
【請求項１４】
前記端末機にデータを送信するための第２周波数帯域に対する第２周波数帯域の測定情報を算出するステップをさらに含み、
前記周波数帯域を交換するか否かを決定するステップは、前記第１周波数帯域の測定情報と前記第２周波数帯域の測定情報とを比較して、周波数帯域を交換するか否かを決定することを特徴とする請求項１１に記載の周波数帯域の交換方法。
【請求項１５】
無線通信システムにおいて基地局を動作させるプログラムであって、
隣接基地局の第１休止時間区間情報を受信し、
前記第１休止時間区間情報に基づいて前記隣接基地局が用いる第１周波数帯域に対する第１周波数帯域の測定情報を算出し、
前記決定に応じて前記第１周波数帯域を用いて端末機にデータを送信する、
ようにコンピュータに実行させる命令を含むプログラムが記録されたことを特徴とするコンピュータで読み出し可能な記録媒体。
【請求項１６】
基地局が第１周波数帯域を用いて第１端末機に第１データを送信するデータ送信時間区間と、
前記基地局が第１端末機に前記第１データを送信しない休止時間区間と、を含むデータフレームであって、
前記休止時間区間は、第２周波数帯域を用いて第２端末機に第２データを送信する、前記基地局の隣接基地局が前記第１周波数帯域に対する干渉及び雑音の強度を測定するために用いられ、
前記測定結果に応じて、前記隣接基地局は、前記第１周波数帯域を用いて前記第２端末機に前記第２データを送信するデータフレームを記録することを特徴とするコンピュータで読み出し可能な記録媒体。
【請求項１７】
前記データ送信時間区間は、前記測定結果に応じて、前記基地局が前記第２周波数帯域を用いて前記第１端末機に前記第１データを送信することを特徴とする請求項１６に記載のコンピュータで読み出し可能な記録媒体。
【発明の詳細な説明】
【技術分野】
【０００１】
本発明は無線通信における基地局、周波数帯域の交換方法、及びコンピュータで読み出し可能な記録媒体に係り、より詳しくは、複数の基地局が用いる周波数帯域を互いに交換する装置及び方法に関する。
【背景技術】
【０００２】
一般的に、無線通信網は複数の基地局を含む。無線通信網を介してデータを送信する端末機は無線通信網に含まれた複数の基地局のうちいずれか１つの基地局を選択して接続される。端末機は、接続された基地局にデータを送信し、各基地局は受信したデータを目的先に送信する。
【０００３】
データを送信するために各基地局に周波数帯域を割り当て、各基地局に接続された端末機は割り当てられた周波数帯域を用いて各基地局にデータを送信する。隣接した基地局に同一の周波数が割り当てられると、隣接する基地局の間の干渉が発生するので、隣接した基地局の間には互いに異なる周波数帯域が割り当てられる。互いに異なる周波数帯域の間に発生し得る干渉信号を抑制するために、各周波数帯域の間に保護帯域（ｇｕａｒｄ  ｂａｎｄ）が設定される場合がある。
【０００４】
無線通信網のデータトラフィック（以下、送信量という）は、時間に応じて、又は地域に応じて変わり得る。データ送信要求が急増する地域には新しい基地局を新設して周波数帯域を割り当てて、時々刻々変わるデータ送信要求を満足させる。
新設基地局には、隣接する基地局が使用しない周波数帯域が割り当てられるが、データ送信要求の増加に伴い、新設基地局に周波数帯域を逐次的に割り当てていくと、各基地局に最適の周波数帯域が割り当てられない可能性がある。
【０００５】
一例として、特定の基地局は互いに分離した複数の周波数帯域を用いてデータを端末機に送信できるが、保護帯域に区分された複数の周波数帯域を用いると、周波数の利用効率は減少せざるを得ない。
【発明の概要】
【発明が解決しようとする課題】
【０００６】
本発明の目的は、隣接した２つの基地局がそれぞれ用いる周波数帯域を互いに交換できる装置と方法を提供することにある。
【０００７】
本発明の目的は、隣接した２つの基地局がそれぞれ用いる周波数帯域を互いに交換して周波数の使用効率を高める装置と方法を提供することにある。
【０００８】
本発明の目的は、各基地局が用いる周波数帯域を区分する保護帯域を除去して周波数の使用効率を高める装置と方法を提供することにある。
【０００９】
本発明の目的は、特定の基地局の干渉量と隣接基地局の干渉量を互いに比較して、特定の基地局と隣接基地局に最適の周波数帯域を割り当てる装置と方法を提供することにある。
【００１０】
本発明の目的は、中央集中的な周波数帯域の管理装置を用いることなく、隣接基地局の間の周波数を交換するだけで周波数帯域を効率よく管理する装置と方法を提供することにある。
【課題を解決するための手段】
【００１１】
前記の目的を達成して従来技術の問題点を解決するために、本発明は、隣接基地局の第１休止時間区間情報を受信する受信部と、前記第１休止時間区間情報に基づいて前記隣接基地局が用いる第１周波数帯域に対する第１周波数帯域の測定情報を算出する周波数帯域測定部と、前記第１周波数帯域の測定情報に基づいて周波数帯域を交換するか否かを決定する周波数帯域交換決定部と、前記決定に応じて前記第１周波数帯域を用いて端末機にデータを送信する送信部とを含むことを特徴とする、周波数帯域を交換できる基地局を提供する。
【００１２】
好ましくは、前記周波数帯域測定部は、前記第１休止時間区間の間に前記第１周波数帯域に対する干渉及び雑音の強度を測定する。
【００１３】
好ましくは、前記送信部は、前記隣接基地局に前記第１休止時間区間情報を要求するメッセージを送信し、前記第１休止時間区間は、前記第１休止時間区間情報要求メッセージに応答して設定される。
【００１４】
好ましくは、前記周波数帯域交換決定部は、前記第１周波数帯域の測定情報を閾値と比較し、比較結果に応じて周波数帯域を交換するか否かを決定する。
【００１５】
好ましくは、前記周波数帯域測定部は、前記基地局が用いる第２周波数帯域に対する第２周波数帯域の測定情報を算出し、前記周波数帯域交換決定部は、前記第１周波数帯域の測定情報と前記第２周波数帯域の測定情報とを比較して周波数帯域を交換するか否かを決定する。
【００１６】
好ましくは、前記周波数帯域交換決定部は、前記第１周波数帯域と、前記基地局がさらに用いる第３周波数帯域が隣接し、前記第２周波数帯域と前記第３周波数帯域が離隔している場合に、前記第１周波数帯域と前記第２周波数帯域を交換すると決定する。
【００１７】
好ましくは、前記送信部は、前記決定に応じて周波数帯域の交換要求メッセージを前記隣接基地局に送信し、前記受信部は、前記周波数帯域の交換要求メッセージに応答して周波数帯域の交換メッセージを受信し、前記送信部は、周波数帯域の交換メッセージに応じて前記データを送信する。
【００１８】
好ましくは、前記周波数帯域の交換要求メッセージは、前記基地局の第２周波数帯域に対する第２休止時間区間情報を含み、前記周波数帯域の交換要求メッセージは前記第２休止時間区間情報に基づいて生成される。
【００１９】
好ましくは、前記基地局が用いる第２周波数帯域に対する第２休止時間区間を設定する制御部をさらに含み、前記送信部は、前記第２休止時間区間には前記第２周波数帯域を用いて第２端末機にデータを送信しない。
【００２０】
好ましくは、前記制御部は、前記第１休止時間区間と前記第２休止時間区間が重ならないように前記第２休止時間区間を設定する。
【００２１】
本発明の一側面によれば、隣接基地局の第１休止時間区間情報を受信するステップと、前記第１休止時間区間情報に基づいて前記隣接基地局が用いる第１周波数帯域に対する第１周波数帯域の測定情報を算出するステップと、前記第１周波数帯域の測定情報に基づいて周波数帯域を交換するか否かを決定するステップと、前記決定に応じて前記第１周波数帯域を用いて端末機にデータを送信するステップとを含むことを特徴とする周波数帯域の交換方法が提供される。
【００２２】
好ましくは、前記第１周波数帯域の測定情報を算出するステップは、前記第１休止時間区間の間に前記第１周波数帯域に対する干渉及び雑音の強度を測定する。
【００２３】
好ましくは、前記周波数帯域を交換するか否かを決定するステップは、前記第１周波数帯域の測定情報を閾値と比較し、比較結果に応じて周波数帯域を交換するか否かを決定する。
【００２４】
好ましくは、前記端末機にデータを送信するための第２周波数帯域に対する第２周波数帯域の測定情報を算出するステップをさらに含み、前記周波数帯域を交換するか否かを決定するステップは、前記第１周波数帯域の測定情報と前記第２周波数帯域の測定情報とを比較して、周波数帯域を交換するか否かを決定する。
【００２５】
本発明の一側面によれば、無線通信システムにおいて基地局を動作させるプログラムであって、隣接基地局の第１休止時間区間情報を受信し、前記第１休止時間区間情報に基づいて前記隣接基地局が用いる第１周波数帯域に対する第１周波数帯域の測定情報を算出し、前記決定に応じて前記第１周波数帯域を用いて端末機にデータを送信する、ようにコンピュータに実行させる命令を含むプログラムが記録されたことを特徴とするコンピュータで読み出し可能な記録媒体が提供される。
【００２６】
本発明の一側面によれば、基地局が第１周波数帯域を用いて第１端末機に第１データを送信するデータ送信時間区間と、前記基地局が第１端末機に前記第１データを送信しない休止時間区間と、を含むデータフレームであって、前記休止時間区間は、第２周波数帯域を用いて第２端末機に第２データを送信する、前記基地局の隣接基地局が前記第１周波数帯域に対する干渉及び雑音の強度を測定するために用いられ、前記測定結果に応じて、前記隣接基地局は、前記第１周波数帯域を用いて前記第２端末機に前記第２データを送信するデータフレームを記録することを特徴とするコンピュータで読み出し可能な記録媒体が提供される。
【００２７】
好ましくは、前記データ送信時間区間は、前記測定結果に応じて、前記基地局が前記第２周波数帯域を用いて前記第１端末機に前記第１データを送信する。
【発明の効果】
【００２８】
本発明によれば、隣接した２つの基地局がそれぞれ用いる周波数帯域を互いに交換することができる。
【００２９】
本発明によれば、隣接した２つの基地局がそれぞれ用いる周波数帯域を互いに交換して周波数の使用効率を高めることができる。
【００３０】
本発明によれば、各基地局が用いる周波数帯域を区分する保護帯域を除去して周波数の使用効率を高めることができる。
【００３１】
本発明によれば、特定の基地局の干渉量と隣接基地局の干渉量を互いに比較して、特定の基地局と隣接基地局に最適の周波数帯域を割り当てることができる。
【００３２】
本発明によれば、中央集中的な周波数帯域の管理装置を用いることなく、隣接基地局の間の周波数を交換するだけで周波数帯域を効率よく管理することができる。
【図面の簡単な説明】
【００３３】
【図１】本発明の一実施形態によって複数の基地局が周波数帯域を用いる概念を示す図である。
【図２】本発明の一実施形態によって複数の基地局が用いる周波数帯域を互いに交換する概念を示す図である。
【図３】本発明の他の実施形態によって複数の基地局が周波数帯域を用いる概念を示す図である。
【図４】本発明の一実施形態によって複数の基地局が用いる周波数帯域を交換して周波数の使用効率を向上させる概念を示す図である。
【図５】本発明の一実施形態によって第１基地局の休止時間区間の間に第１基地局が用いる周波数帯域に対して周波数帯域の測定情報を算出する概念を示す図である。
【図６】本発明の一実施形態によって第１周波数帯域の測定情報と第２周波数帯域の測定情報とを比較し、周波数帯域の交換有無を決定する方法を段階別で示すフローチャートである。
【図７】本発明の一実施形態に係る周波数帯域の交換基地局の構造を示すブロック図である。
【図８】本発明の一実施形態による周波数帯域の交換方法を段階別に示すフローチャートである。
【発明を実施するための形態】
【００３４】
以下に、添付された図面を参照して本発明の実施形態を詳細に説明する。
【００３５】
図１は、本発明の一実施形態によって複数の基地局が周波数帯域を用いる概念を示す図である。
また、図２は、本発明の一実施形態によって複数の基地局が用いる周波数帯域を互いに交換する概念を示す図である。
【００３６】
以下、図１及び図２を参照して本発明に係る複数の基地局が用いる周波数帯域を互いに交換する概念を詳細に説明することにする。
【００３７】
第１基地局１２１は第１端末機１３１及び第２端末機１３２にデータを送信し、第２基地局１２２は第３端末機１４０にデータを送信する。第１基地局１２１は、無線通信システム全体に割り当てられた周波数帯域１１０のうち第１周波数帯域１１１を用いてデータを端末機１３１、１３２に送信する。第２基地局１２２は、無線通信システム全体に割り当てられた周波数帯域１１０のうち第２周波数帯域１１２を用いてデータを端末機１４０に送信する。
【００３８】
本発明の一側面によれば、それぞれの周波数帯域１１１、１１２は保護帯域１１３により分離される。保護帯域１１３は、第１基地局１２１及び第２基地局１２２のうちいずれの基地局も使用しない周波数帯域である。
【００３９】
もし、第１周波数帯域１１１と第２周波数帯域１１２が互いに隣接して割り当てられた場合には、第１周波数帯域１１１の信号は第２周波数帯域１１２には干渉信号となる。また、その逆も同様である。従って、無線通信システムの性能が低下する。
【００４０】
図１に示すように、それぞれの周波数帯域１１１、１１２が保護帯域１１３により分離されると、第１周波数帯域１１１の信号が第２周波数帯域１１２に干渉信号として働かない。従って、無線通信システムの性能が劣化しない。
【００４１】
本発明の一側面によれば、第１基地局１２１に割り当てられる第１周波数帯域１１１は、第２基地局１２２に割り当てられる第２周波数帯域１１２よりも広い。第１基地局１２１のデータ送信量（トラフィック）が第２基地局１２２のデータ送信量よりも多い場合に、このような周波数帯域割当１１０は効率的である。
【００４２】
各基地局１２１、１２２のデータ送信量は、時間の経過に伴って変わり得る。一例として、第１基地局１２１に接続された第２端末機１３２が第２基地局１２２にハンドオーバーして第２基地局１２２にデータを送信する場合がある。その場合、第２基地局１２２のデータ送信量が第１基地局１２１のデータ送信量よりも多くなり、従来の周波数帯域割当１１０はもはや効率的ではない。
【００４３】
他の例として、第１基地局１２１のデータ送信量を減少するために、第１基地局１２１の近隣に第３基地局を設ける場合がある。この場合に、第１基地局１２１にデータを送信した端末機１３１、１３２のうちの一部は第３基地局にデータを送信することで第１基地局１２１のデータ送信量は減少する。第１基地局１２１のデータ送信量が減少すれば、第１基地局１２１は、広い周波数帯域１１１を全て用いる必要がない。
【００４４】
本発明の一実施形態によれば、第１基地局１２１及び第２基地局１２２は割り当てられた周波数帯域を互いに交換できる。図２を参照すると、交換された周波数帯域１５０は、第１周波数帯域１５１、第２周波数帯域１５２及び保護帯域１５３を含む。第１基地局１６１と第２基地局１６２が用いる周波数帯域を互いに交換したので、第１基地局１６１は、第２周波数帯域１５２を用いて第１端末機１７０にデータを送信する。また、第２基地局１６２は、第１周波数帯域１５１を用いて第２端末機１８１及び第３端末機１８２にデータを送信する。
【００４５】
第１周波数帯域１５１は、第２周波数帯域１５２よりも広いので、交換された周波数帯域１５０は、変化されたデータ送信量を反映した最適の周波数帯域である。
【００４６】
本発明の一実施形態によれば、データ送信量の変化に伴って、各基地局に割り当てられた周波数帯域を変更できるので、無線通信システムに割り当てられた周波数帯域を効率的に使用できる。
【００４７】
本発明の他の実施形態によれば、各基地局１２１、１２２は、割り当てられた各周波数帯域での干渉信号の量を考慮して周波数帯域を互いに交換できる。
例えば、第１基地局１２１は、第１周波数帯域１１１と第２周波数帯域１１２における干渉信号の量を測定し、第１基地局１２１はこの測定結果を考慮して、第１基地局１２１が第２周波数帯域１１２を用いて、第２基地局１２２が第１周波数帯域１１１を用いる場合に、第１基地局１２１及び第２基地局１２２を含むデータ送信システムの性能が向上するか否かを判断する。
【００４８】
図１においては、第１基地局１２１及び第２基地局１２２のみを示したが、本発明の一実施形態によれば、互いに異なる地点に位置した複数の基地局が同一の周波数をリサイクルできる。例えば、第３基地局は、第１基地局１２１が用いる第１周波数帯域１１１を用いると、たとえ第１基地局１２１と第３基地局が互いに遠く離れていても、第１基地局１２１は同一の周波数帯域を用いる第３基地局から干渉信号を受信し、この第３基地局からの干渉信号は、第１基地局１２１のデータ送受信性能を減少する場合がある。
【００４９】
本発明の一実施形態によれば、第１基地局１２１は、第２基地局１２２と周波数帯域を交換することにより第３基地局からの干渉信号を減少できる。周波数帯域を交換すると、第１基地局１２１は、第２周波数帯域１２２を用いることになり、依然として第１周波数帯域１１２を用いる第３基地局からの干渉信号を受信しなくなる可能性がある。第２基地局１１２は第１周波数帯域１１１を用いるが、第２基地局１１２が受信する第３基地局からの干渉信号の強度は減少する可能性がある。
【００５０】
即ち、第３基地局から第２基地局１２２までの距離が第３基地局から第１基地局１２１までの距離よりも遠い場合には、第３基地局からの干渉信号の強度は減少する。
【００５１】
本発明の一実施形態によれば、それぞれの周波数帯域１１１、１１２に対する隣接基地局からの干渉量を考慮して周波数帯域を再割当できる。
【００５２】
図３は、本発明の他の実施形態によって複数の基地局が周波数帯域を用いる概念を示す図であり、図４は、複数の基地局が用いる周波数帯域を交換する概念を示す図である。
以下、図３及び図４を参照して本発明に係る複数の基地局が用いる周波数帯域を互いに交換する概念を詳細に説明する。
【００５３】
本実施形態によれば、中央集中的な周波数帯域の管理装置を用いることなく、隣接した基地局２２１、２２２が周波数帯域を互いに交換して簡単に周波数帯域を管理できる。
【００５４】
第１、第２各基地局２２１、２２２のデータ送信量、周波数帯域の使用効率などは各基地局２２１、２２２にデータを送信する端末機２３１、２３２、２４１、２４２の移動、又は端末機が用いるサービスの変更などによって時々刻々変わり得る。このようなデータ送信量変化に対応するために、小型基地局が頻繁に設置又は撤去され得る。このような小型基地局に周波数帯域を割り当て、割り当てられた周波数帯域を回収する過程が繰り返されると、第１基地局２２１及び第２基地局２２２を含むデータ送信システムの周波数帯域２１０は断片化（ｆｒａｇｍｅｎｔａｔｉｏｎ）される。
【００５５】
データ送信量の変化に伴って小型基地局が頻繁に設置又は撤去される場合に、中央集中的な周波数帯域の管理装置は効率的でない場合がある。即ち、周波数帯域の管理装置が頻繁に設けられる小型基地局に対する周波数リソースの割当と回収を管理することは不可能に近い。本発明によれば、隣接した基地局の間の周波数帯域の交換のみで周波数リソースを効率よく管理できる。
【００５６】
図３に示すように、第１基地局２２１は第１端末機２３１及び第２端末機２３２にデータを送信し、第２基地局２２２は第３端末機２４１及び第４端末機２４２にデータを送信しているとする。
【００５７】
本発明の一実施形態によれば、第１基地局２２１及び第２基地局２２２には連続した周波数帯域が割り当てられる。
【００５８】
一例として、図３に示す第１周波数帯域２１１及び第２周波数帯域２１３を第１基地局２２１に割り当て、図３に示す第３周波数帯域２１５及び第４周波数帯域２１７は第２基地局２２２に割り当てる。
このように第１周波数帯域２１１及び第２周波数帯域２１３が全て第１基地局２２１に割り当てられると、第１周波数帯域２２１及び第２周波数帯域２１３を区分するために保護帯域２１２を設定する必要がない。また、第３周波数帯域２１５及び第４周波数帯域２１７が全て第２基地局２２２に割り当てられると、第３周波数帯域２１５及び第４周波数帯域２１７を区分するために保護帯域２１６を設定する必要がない。ただし、第１基地局２２１に割り当てられた第２周波数帯域２１３と第２基地局２２２に割り当てられた第３周波数帯域２１５とを区分するための保護帯域２１４は必要である。
【００５９】
本発明の一実施形態によれば、第１基地局２２１がデータを送信するために用いる周波数帯域２１１、２１５は図３に示すように、不連続的に割り当てられ、第２基地局２２２がデータを送信するために用いる周波数帯域２１３、２１７も不連続的に割り当てられる。
【００６０】
このように、各基地局２２１、２２２に連続的に割り当てられた周波数帯域２１１、２１３、２１５、２１７は、無線通信システムの運用に伴って各基地局２２１、２２２に不連続的に割り当てられる。
【００６１】
即ち、無線通信システムに新しい基地局が追加されると周波数帯域が不連続的に割り当てられる場合がある。
例えば図３に示された無線通信システムに第３基地局が追加されると、第３周波数帯域２１５が第３基地局に割り当てられ得る。
そしてその第３基地局が除去される場合に、第３周波数帯域２１５は、第１基地局２２１及び第２基地局２２２のデータ送信量に応じて第１基地局２２１又は第２基地局２２２に割り当てられる。
もし、第１基地局２２１のデータ送信量が第２基地局２２２のデータ送信量よりも多ければ、第３周波数帯域２１５は第１基地局２２１に割り当てられる。
【００６２】
同様にして、図３の無線通信システムに第４基地局が追加されると、例えば第２周波数帯域２１３が第２基地局２２２に割り当てられる。
【００６３】
各基地局２２１、２２２に不連続的な周波数帯域が割り当てられると、各周波数帯域２１１、２１３、２１５、２１７を区分するための保護帯域２１２、２１４、２１６が必要である。本発明の一実施形態によれば、第１基地局２２１に割り当てられた第１周波数帯域２１１と第２基地局２２２に割り当てられた第２周波数帯域２１３とを区分するための保護帯域２１２が必要である。また、第２周波数帯域２１３と第３周波数帯域２１５とを区分するための保護帯域２１４、及び第３周波数帯域２１５と第４周波数帯域２１７とを区分するための保護帯域２１６が必要である。
【００６４】
各基地局２２１、２２２に不連続的な周波数帯域２１１、２１３、２１５、２１７が割り当てられることによって、各周波数帯域２１１、２１３、２１５、２１７を区分するための保護帯域２１２、２１４、２１６が増加する。保護帯域２１２、２１４、２１６は、無線通信システムが使用しない周波数帯域である。従って、保護帯域２１２、２１４、２１６の増加に伴って無線通信システムの周波数の使用効率が減少する。
【００６５】
本発明の一実施形態によれば、第１基地局２２１と第２基地局２２２は用いる周波数帯域を交換できる。一例として、第１基地局２２１は、第２周波数帯域２１３を第２基地局２２２が用いる第３周波数帯域２１５と交換する。
図４を参照すると、交換後の周波数帯域２５０では、第１基地局２６１は第２周波数帯域２１３を用い、第２基地局２６２は第３周波数帯域２１４を用いる。
【００６６】
第１基地局２６１は、第１周波数帯域２１１及び第２周波数帯域２１３を用いるので、第１周波数帯域２１１と第２周波数帯域２１３とを区分するための保護帯域２１２を設定する必要がない。また、第２基地局２６２は、第３周波数帯域２１５及び第４周波数帯域２１７を用いるので、第３周波数帯域２１５と第４周波数帯域２１７とを区分するための保護帯域２１６を設定する必要がない。
【００６７】
周波数帯域交換前の周波数帯域２１０と周波数交換後の周波数帯域２５０とを比較すると、不要な保護帯域２１２、２１６を設定する必要がないので、無線通信システムの周波数の使用効率が向上する。また、各基地局２６１、２６２に連続的な第１、第２周波数帯域２５１、２５３が割り当てられるので、周波数帯域を容易に管理できる。
【００６８】
本発明によれば、断片化された周波数帯域を隣接した基地局の間で互いに交換して各基地局に連続的な周波数帯域の割当ができる。
【００６９】
図５は、本発明の一実施形態によって第１基地局の休止時間区間３１２の間に第１基地局が用いる周波数帯域について周波数帯域の測定情報を算出する概念を示す図である。以下、図５を参照して本発明に係る第１基地局の休止時間区間３１２の間に第１基地局が用いる周波数帯域について第２基地局が周波数帯域の測定情報を算出する概念を詳細に説明する。
【００７０】
第１基地局３２０は第１端末機３４１及び第２端末機３４２にデータを送信し、第２基地局３３０は第３端末機３５０にデータを送信する。
【００７１】
本発明の一実施形態によれば、第２基地局３４２は、第１基地局３２０が用いる周波数帯域に対する周波数帯域の測定情報を算出し、算出された周波数帯域の測定情報に基づいて第１基地局３２０が用いる周波数帯域と第２基地局３３０が用いる周波数帯域とを交換するか否かを決定する。
【００７２】
本実施形態によれば、第１基地局３２０と第２基地局は、無線通信システムの性能が向上する場合のみ、その周波数帯域を交換する、例えば、第１基地局３２０の第１周波数帯域と第２基地局３３０の第２周波数帯域を交換する。
【００７３】
第２基地局３３０は、第２基地局の第２周波数帯域の代りに第１基地局の第１周波数帯域を使用すれば、無線通信システムの性能が向上するか否かを判断する。
【００７４】
特定の周波数帯域を用いる場合、無線通信システムの性能は特定の周波数帯域に対する信号対干渉及び雑音比（Ｓｉｇｎａｌ  ｔｏ  Ｉｎｔｅｒｆｅｒｅｎｃｅ  ａｎｄ  Ｎｏｉｓｅ  Ｒａｔｉｏ、以下、ＳＩＮＲという）で表現できる。
本発明の一実施形態によれば、周波数帯域の測定情報はＳＩＮＲである。
即ち、第２基地局３３０は、第１周波数帯域及び第２周波数帯域それぞれに対してＳＩＮＲを算出し、算出されたＳＩＮＲに基づいて第１周波数帯域と第２周波数帯域を交換するか否かを判断する。
【００７５】
本発明の一実施形態によれば、第２基地局３３０は、第２基地局３３０が送信する信号の強度に対するＳＩＮＲを算出する。例えば、第２基地局３３０が第１周波数帯域を用いてデータを第３端末機３５０に送信する場合のＳＩＮＲを算出し、第２周波数帯域を用いてデータを第３端末機３５０に送信する場合のＳＩＮＲを算出する。
【００７６】
第２基地局３３０は、第２基地局３３０がデータを第３端末機３５０に送信する際の信号の強度を容易に確認できる。従って、ＳＩＮＲを算出するためには干渉信号の強度及び雑音の強度を測定しなければならない。
【００７７】
第１基地局３２０が第１端末機３４１又は第２端末機３４２にデータを送信するデータ送信区間３１１に第１周波数帯域を測定すると、第１基地局３２０が第１周波数帯域を用いてデータを送信する信号の強度、第１周波数帯域に対する干渉信号の強度、及び第１周波数帯域の雑音の強度が全て加えられた値を測定できる。
又、第１基地局３２０が第１周波数帯域を用いてデータを送信する信号の強度に対する、第１周波数帯域に対する干渉信号の強度及び第１周波数帯域の雑音の強度の比率を算出できる。
【００７８】
しかし、第２基地局３３０が第１周波数帯域と第２周波数帯域を交換するか否かを判断するためには、第２基地局３３０が第１周波数帯域を用いてデータを送信する信号の強度に対する、第１周波数帯域に対する干渉信号の強度及び第１周波数帯域の雑音の強度の比率が必要である。従って、データ送信区間３１１に第１周波数帯域を測定するだけでは、第２基地局装置３３０は第１周波数帯域と第２周波数帯域を交換するか否かを判断できない。
【００７９】
本発明の一実施形態によれば、第１基地局３２０の休止時間区間３１２に第２基地局３３０は第１周波数帯域を測定する。休止時間区間３１２には第１基地局３２０はデータを送信しない。従って、第１基地局３２０が放射する信号の強度は「０」であり、第２基地局３３０が休止時間区間３１２に第１周波数帯域を測定すれば、第１周波数帯域に対する干渉信号の強度及び第１周波数帯域の雑音の強度を測定できる。
【００８０】
第２基地局３３０は、第２基地局３３０が第３端末機３５０にデータを送信するための信号の強度を容易に確認できる。従って、第２基地局３３０は、第２基地局３３０が第１周波数帯域を用いてデータを送信する信号の強度に対する、第１周波数帯域に対する干渉信号の強度及び第１周波数帯域の雑音の強度の比率を容易に算出できる。以下、これを簡単に第２基地局の第１周波数帯域に対するＳＩＮＲと呼ぶことにする。
【００８１】
同様にして、第２基地局３３０は、第２基地局３３０の休止時間区間の間に第２周波数帯域に対する干渉信号の強度、及び第２周波数帯域の雑音の強度を測定する。従って、第２基地局３３０は、第２基地局３３０が第２周波数帯域を用いてデータを送信する信号の強度に対する第２周波数帯域に対する干渉信号の強度、及び第２周波数帯域の雑音の強度の比率を容易に算出できる。以下を簡単に第２基地局の第２周波数帯域に対するＳＩＮＲと呼ぶことにする。
【００８２】
次に第２基地局３３０は、第２基地局３３０の第１周波数帯域に対するＳＩＮＲと第２基地局３３０の第２周波数帯域に対するＳＩＮＲとを比較する。第２基地局３３０は、比較結果に応じて第１周波数帯域を用いてデータを第３端末機３５０に送信するか、第２周波数帯域を用いてデータを第３端末機３５０に送信するかを判断する。
【００８３】
即ち、この判断結果に応じて第２基地局３３０は、第１基地局３２０に周波数帯域の交換要求メッセージを送信する。周波数帯域の交換要求メッセージを受信した第１基地局３２０は、第１基地局３２０の第１周波数帯域に対するＳＩＮＲと、第１基地局３２０の第２周波数帯域に対するＳＩＮＲとを算出し、第１周波数帯域に対するＳＩＮＲと第２周波数帯域に対するＳＩＮＲとを比較する。第１基地局３２０は、比較結果に応じて第１周波数帯域と第２周波数帯域を交換する。
【００８４】
本発明の一実施形態によれば、第１基地局３２０は、第１周波数帯域と第２周波数帯域との交換により無線通信システムの性能がさらに高められる場合にのみ第１周波数帯域と第２周波数帯域を交換すると決定する。例えば、第１基地局３２０及び第２基地局３３０がそれぞれ送信するデータのデータ送信率の和がより大きい値を有する場合に、第１基地局３２０は第１周波数帯域と第２周波数帯域を交換すると決定する。
【００８５】
第１基地局３２０がデータを送信するために用いるデータフレーム３１０は、データ送信時間区間３１１及び休止時間区間３１２を含む。データ送信時間区間３１１は、第１基地局３２０が第１周波数帯域を用いて第１端末機３４１又は第２端末機３４２に第１データを送信するために用いられる。第１基地局３２０は、休止時間区間３１２に相応する休止時間区間の間にはそれぞれの端末機３４１、３４２にデータを送信しない。従って、第１周波数帯域に電波を放射しない。
【００８６】
第２基地局３３０は、データ送信時間区間３１１に相応するデータ送信時間区間の間には第２周波数帯域を用いて第３端末機３５０にデータを送信する。第２基地局は、休止時間区間３１２に相応する休止時間区間の間に第１周波数帯域に対する干渉信号の強度及び第１周波数帯域に対する雑音の強度を測定する。
【００８７】
第１基地局３２０と第２基地局３３０は、第２基地局３３０の第１周波数帯域に対する測定結果に応じて第１周波数帯域と第２周波数帯域を交換する。第１周波数帯域と第２周波数帯域を交換すれば、第１基地局３２０は第２周波数帯域を用いて第１端末機３４１又は第２端末機３４２に第１データを送信し、第２基地局３３０は第１周波数帯域を用いて第３端末機３５０に第２データを送信する。
【００８８】
図６は、本発明の一実施形態に係る第１周波数帯域の測定情報と第２周波数帯域の測定情報とを比較して、周波数帯域の交換有無を決定する方法を段階別に示すフローチャートである。以下、図６を参照して第１基地局が用いる第１周波数帯域に対する第１周波数帯域の測定情報と第２基地局が用いる第２周波数帯域に対する第２周波数帯域の測定情報とを比較し、周波数帯域の交換有無を決定する方法を詳細に説明する。
【００８９】
ステップＳ４１０において、第１基地局４０１は第１周波数帯域を用いて第１端末機にデータを送信し、第２基地局４０２は第２周波数帯域を用いて第２端末機にデータを送信する。
【００９０】
ステップＳ４１１において、第１基地局４１０は第２基地局４０２に放送情報を送信する。第２基地局４０２は放送情報に基づいて第１基地局を識別する（Ｓ４１２）。
【００９１】
ステップＳ４２１において、第２基地局４０２は、第１基地局４０１に休止期間の情報要求メッセージを送信する。
ステップＳ４２２において、第１基地局４０１は第２基地局４０２に第１基地局４１０の第１休止期間情報を送信する。
【００９２】
第２基地局４０２は、第１基地局４０１の第１休止期間情報を基地局情報格納装置（図示せず）から受信してもよい。
【００９３】
ステップＳ４３１において、第２基地局４０２は、第１周波数帯域に対する第１周波数帯域の測定情報を算出する。第１周波数帯域の測定情報は、第１周波数帯域に対する干渉信号の強度及び第１周波数帯域の雑音の強度に関する情報である。第１休止期間の間に第１基地局４０１はデータを送信しない。第１基地局４０１が第１周波数帯域に電波を放射しないので、第２基地局４０２は、第１周波数帯域に対する干渉信号の強度及び第１周波数帯域の雑音の強度を正確に測定できる。
【００９４】
ステップＳ４３２において、第２基地局４０２は、第２周波数帯域に対する第２周波数帯域の測定情報を生成する。第２周波数帯域の測定情報は、第２周波数帯域に対する干渉信号の強度及び第２周波数帯域の雑音の強度に関する情報である。第２基地局４０２は第２休止期間の間にデータを送信することなく、第２周波数帯域に対する干渉信号の強度及び第２周波数帯域の雑音の強度を正確に測定できる。
【００９５】
ステップＳ４３３において、第２基地局４０２は、第１周波数帯域と第２周波数帯域を交換するか否かを決定する。第２基地局は、第１周波数帯域の測定情報と第２周波数帯域の測定情報とを比較し、比較結果に応じて第１周波数帯域と第２周波数帯域を交換するか否かを決定する。
【００９６】
ステップＳ４４０において、第２基地局４０２は、周波数帯域の交換要求メッセージを第１基地局４０１に送信する。周波数帯域の交換要求メッセージは、第２基地局４０２が測定した第１周波数帯域の測定情報及び第２基地局４０２が測定した第２周波数帯域の測定情報を含む。
【００９７】
ステップＳ４５０において、第１基地局４０１は、第１周波数帯域と第２周波数帯域を交換するか否かを決定する。第１基地局４０１は、周波数帯域の交換要求メッセージに含まれた第２基地局４０２が測定した第１周波数帯域の測定情報及び第２基地局４０２が測定した第２周波数帯域の測定情報に基づいて第１周波数帯域と第２周波数帯域を交換するか否かを決定する。
【００９８】
第１基地局４０１は、第１周波数帯域又は第２周波数帯域を測定して第１基地局４０１が測定した第１周波数帯域の測定情報及び第１基地局４０１が測定した第２周波数帯域の測定情報を生成し、生成された周波数帯域の測定情報に基づいて第１周波数帯域と第２周波数帯域を交換するか否かを決定してもよい。
【００９９】
ステップＳ４６０において、第１基地局４０１は、周波数帯域の交換メッセージを第２基地局４０２に送信する。
【０１００】
ステップＳ４７０において、第１基地局４０１と第２基地局４０２は第１周波数帯域と第２周波数帯域を交換する。第１基地局４０１は第２周波数帯域を用いてデータを第１端末機に送信し、第２基地局４０２は第１周波数帯域を用いてデータを第２端末機に送信する。
【０１０１】
図７は、本発明の一実施形態に係る周波数帯域の交換を要求する第２基地局の構造を示すブロック図である。以下、図７を参照して本発明に係る周波数帯域の交換を要求する第２基地局の動作を詳細に説明する。本発明に係る周波数帯域の交換を要求する第２基地局５００は、受信部５１０、周波数帯域測定部５２０、周波数帯域交換決定部５３０、送信部５４０、及び制御部５５０を含む。
【０１０２】
以下、第１基地局５６０は第１周波数帯域を用いてデータを第１端末機５７１に送信し、第２基地局５００は第２周波数帯域を用いてデータを第２端末機５７２に送信する場合を説明する。第２基地局５００と第１基地局５６０は互いに隣接して位置し、第２基地局５００は第１基地局５６０から送信された信号を受信できると仮定する。第２基地局５００は、第１基地局５６０から送信された信号に基づいて第１周波数帯域と第２周波数帯域を交換する。交換が終了した後には、第１基地局５６０は第２周波数帯域を用いてデータを第１端末機５７１に送信し、第２基地局５００は第１周波数帯域を用いてデータを第２端末機５７２に送信する。
【０１０３】
以下、説明の便宜のために第２基地局５００を周波数帯域の交換要求基地局とし、第１基地局５６０はその隣接基地局として説明する。
【０１０４】
受信部５１０は、隣接する第１基地局の第１休止時間区間（Ｑｕｉｅｔ  ｔｉｍｅ  ｄｕｒａｔｉｏｎ）情報、即ち、隣接する第１基地局の休止時間区間３１２が何時であるかという情報、を受信する。
本発明の一側面によれば、隣接する第１基地局は周期的に第１休止時間区間情報を放送し、受信部５１０は放送情報を受信して第１休止時間区間情報を獲得する。
本発明の他の側面によれば、隣接する第１基地局は、基地局情報格納装置（図示せず）から第１休止時間区間情報を受信してもよい。
従って受信部５１０は、隣接する第１基地局放送情報を受信して隣接する第１基地局を識別し、識別された隣接する第１基地局の第１休止時間区間情報を基地局情報格納装置から受信してもよい。
また、第２基地局５００は送信部５４０を介して、隣接基地局５６０にその第１休止時間区間情報を要求するメッセージを送信してもよく、さらに隣接基地局５６０は、第１休止時間区間情報要求メッセージに応答して第１休止時間区間を設定し、その旨を第２基地局に返信してもよい。
【０１０５】
周波数帯域測定部５２０は、第１休止時間区間情報に基づいて隣接する第１基地局が用いる第１周波数帯域に対する第１周波数帯域の測定情報を算出する。隣接する第１基地局５６０は、第１休止時間区間の間にデータを送信しない。隣接する第１基地局５６０がデータを送信するための電波を放射しない休止時間区間の間に周波数帯域測定部５２０は第１周波数帯域に対する第１周波数帯域の測定情報を算出する。
周波数帯域測定部５２０は、第１休止時間区間の間に第１周波数帯域に対する干渉及び雑音の強度を測定して第１周波数帯域の測定情報を算出してもよい。
【０１０６】
周波数帯域交換決定部５３０は、第１周波数帯域の測定情報に基づいて隣接する第１基地局５６０と周波数帯域を交換するか否かを決定する。本発明の一実施形態によれば、周波数帯域交換決定部５３０は、第１周波数帯域の測定情報を閾値とを比較し、比較結果に応じて周波数帯域を交換するか否かを決定する。
即ち、第１周波数帯域に対する干渉及び雑音の強度が所定の閾値よりも低い場合に、周波数帯域交換決定部５３０は第１周波数帯域と第２周波数帯域を交換すると決定する。
【０１０７】
周波数帯域測定部５２０は、周波数帯域の交換基地局５００が用いる第２周波数帯域に対する第２周波数帯域の測定情報を算出し、周波数帯域交換決定部５３０は、第１周波数帯域の測定情報と第２周波数帯域の測定情報とを比較して、比較結果に応じて周波数帯域を交換するか否かを決定してもよい。
【０１０８】
第２基地局５００は第２休止時間区間の間にデータを送信しない。即ち、第２基地局５００は、第２休止時間区間の間にデータを送信するための電波を放射しないので、第２周波数帯域に対して干渉及び雑音の強度を測定して第２周波数帯域の測定情報を算出できる。
【０１０９】
周波数帯域交換決定部５３０は、第１周波数帯域に対する干渉信号の強度及び第１周波数帯域の雑音の強度と、第２周波数帯域に対する干渉信号の強度及び第２周波数帯域の雑音の強度とを比較する。
そして周波数帯域交換決定部５３０は、第１周波数帯域に対する干渉信号の強度及び第１周波数帯域の雑音の強度の和が第２周波数帯域に対する干渉信号の強度及び第２周波数帯域の雑音の強度の和よりも小さい場合に第１周波数帯域と第２周波数帯域を交換すると決定する。
【０１１０】
第２基地局５００は、複数の周波数帯域を用いてデータを送信してもよい。例えば、周波数帯域の交換基地局５００は、第２周波数帯域及び第３周波数帯域を用いてデータを送信する。
第２周波数帯域と第３周波数帯域は互いに離隔されて割り当てられ、第２周波数帯域と第３周波数帯域の間に隣接する第１基地局が用いる第２周波数帯域が割り当てられてもよい。
【０１１１】
周波数帯域交換決定部５３０は、隣接する第１基地局が用いる第１周波数帯域と第２基地局が用いる第２周波数帯域が隣接し、第１周波数帯域と第２基地局が用いる第３周波数帯域が隣接し、第２周波数帯域と第３周波数帯域が離隔されている場合に、第１周波数帯域と第２周波数帯域を交換すると決定してもよい。
【０１１２】
そうすると第２基地局は、互いに隣接した第１周波数帯域と第３周波数帯域を用いることになり、第１周波数帯域と第３周波数帯域とを区分するための保護帯域を維持する必要がなく、保護帯域に割り当てられた周波数帯域をデータの送信のために使用できる。即ち、追加的に周波数帯域を割り当てることなく、使用できる周波数帯域が増加するので、無線通信システムの周波数の使用効率が増加する。
【０１１３】
送信部５４０は、周波数帯域交換決定部５３０の決定に応じて周波数帯域の交換要求メッセージを隣接する第１基地局に送信する。本発明の一実施形態によれば、隣接する第１基地局５６０の受信部（図示せず）は、周波数帯域の交換要求メッセージに応答して周波数帯域の交換要求メッセージを受信し、隣接する第１基地局５６０の送信部（図示せず）は、周波数帯域の交換メッセージに応じて第１周波数帯域を用いてデータを送信する。
【０１１４】
第２基地局が第１周波数帯域と第２周波数帯域を交換すると、第２基地局の性能を向上できるが、隣接する第１基地局の性能を阻害する場合があり得る。隣接する第１基地局は、第２基地局から周波数帯域の交換要求メッセージを受信し、周波数帯域を交換するか否かを判断してもよい。具体的には本発明の一実施形態によれば、隣接する第１基地局は、無線通信システムの性能が向上する場合にのみ第１周波数帯域と第２周波数帯域を交換すると決定してもよい。
【０１１５】
本発明の一実施形態によれば、第２基地局５００が送信する周波数帯域の交換要求メッセージは、周波数帯域の交換基地局の第２休止時間の区間情報を含んでもよい。隣接する第１基地局は、第２休止時間の区間情報に基づいて周波数帯域を交換するか否かを決定し、決定結果に応じて周波数帯域の交換メッセージを生成してもよい。
【０１１６】
隣接する第１基地局は、第２休止時間区間の間に第２基地局が用いる第２周波数帯域に対する第２周波数帯域の測定情報を算出し、第２周波数帯域の測定情報に基づいて周波数帯域を交換するか否かを決定してもよい。
【０１１７】
送信部５４０は、周波数帯域交換決定部５３０の決定に応じて第１周波数帯域と第２周波数帯域が交換された場合に、第１周波数帯域を用いて端末機５７２にデータを送信する。
【０１１８】
制御部５５０は、第２基地局５００が用いる第２周波数帯域に対する第２休止時間区間を設定し、送信部５４０は、第２休止時間区間には第２周波数帯域を用いて端末機５７２にデータを送信しない。即ち、第２基地局５００は、第２休止時間区間の間に第２周波数帯域に対して電波を放射しない。従って隣接する第１基地局５６０は、第２休止時間区間の間に第２周波数帯域に対する干渉信号の大きさ及び第２周波数帯域の雑音の強度を測定して、第２周波数帯域の測定情報を生成し、第１周波数帯域の測定情報と第２周波数帯域の測定情報とを比較して周波数帯域を交換するか否かを決定してもよい。
【０１１９】
周波数帯域の交換要求メッセージは第１周波数帯域の測定情報を含んでもよい。
【０１２０】
本発明の一実施形態によれば、第２基地局５００に複数の隣接する第１基地局５６０が存在することがある。互いに隣接した隣接する第１基地局５６０の間の休止時間区間が重なる場合、複数の隣接する第１基地局５６０は休止時間区間に電波を放射しない。その場合、第２基地局５００は、特定の周波数帯域に対して干渉信号の強度を正確に測定することができない。
【０１２１】
本発明の一側面によれば、互いに隣接した基地局５６０、５００の休止時間区間は互いに重ならないように決定され得る。
【０１２２】
本発明の一側面によれば、送信部５４０は隣接する第１基地局５６０に休止時間の区間情報要求メッセージを送信し、隣接する第１基地局５６０の第１休止時間区間は、休止時間の区間情報要求メッセージに応答して設定されてもよい。
【０１２３】
休止時間の区間情報要求メッセージは周波数帯域の交換基地局５００の第２休止時間の区間情報を含んでもよい。
【０１２４】
図８は、本発明の一実施形態に係る周波数帯域の交換方法を段階別に示すフローチャートである。以下、図８を参照して本発明に係る周波数帯域の交換方法を詳細に説明する。
【０１２５】
ステップＳ６１０において、周波数帯域の交換要求基地局（第２基地局）は、隣接基地局（第１基地局）の第１休止時間の区間情報を受信する。隣接基地局は第１周波数帯域を用いて第１端末機にデータを送信し、周波数帯域の交換基地局は第２周波数帯域を用いて第２端末機にデータを送信する。第１休止時間区間の間には、隣接基地局は第１端末機にデータを送信しない。即ち、隣接基地局は第１周波数帯域に電波を放射しない。
【０１２６】
ステップＳ６２０において、第２基地局は、第１休止時間の区間情報に基づいて隣接基地局が用いている第１周波数帯域に対する第１周波数帯域の測定情報を算出する。即ち、第２基地局は、第１休止時間区間の間に第１周波数帯域に対する干渉信号の強度及び第１周波数帯域の雑音の強度を測定する。第１休止時間区間の間には第１周波数帯域に対するデータ信号が存在しないので、干渉信号の強度及び雑音の強度だけを正確に測定できる。
【０１２７】
ステップＳ６３０において、第２基地局は、第２周波数帯域に対する第２周波数帯域の測定情報を算出する。第２周波数帯域の測定情報は例えば、第２周波数帯域に対する干渉信号の強度及び第２周波数帯域の雑音の強度である。
【０１２８】
ステップＳ６４０において、第２基地局は、第１周波数帯域の測定情報に基づいて周波数帯域を交換するか否かを決定する。即ち、第２基地局は第１周波数帯域の測定情報を閾値と比較し、比較結果に応じて周波数帯域を交換するか否かを決定する。ここで第１周波数帯域の測定情報は例えば、第１周波数帯域に対する干渉信号の強度及び第１周波数帯域の雑音の強度である。第１周波数帯域の測定情報が所定の閾値よりも小さければ、第１周波数帯域はデータ送信にとって優れた周波数帯域である。従って第２基地局は、第１周波数帯域の測定情報が所定の閾値よりも小さい場合に第１周波数帯域と第２周波数帯域を交換すると決定する。
【０１２９】
ステップＳ６４０においては、第１周波数帯域の測定情報と第２周波数帯域の測定情報とを比較して周波数帯域を交換するか否かを決定してもよい。
ここで例えば、第１周波数帯域の測定情報は第１周波数帯域に対する干渉及び雑音の強度に関する情報であり、第２周波数帯域の測定情報は第２周波数帯域に対する干渉及び雑音の強度に関する情報である。
第１周波数帯域に対する干渉及び雑音の強度が第２周波数帯域に対する干渉及び雑音の強度よりも小さい場合に、第１周波数帯域は第２周波数帯域より優れた周波数帯域である。従って、第２基地局は、第１周波数帯域が第２周波数帯域より優れた周波数帯域である場合に、第１周波数帯域と第２周波数帯域を交換すると決定してもよい。
【０１３０】
ステップＳ６５０において、ステップＳ６４０における決定に応じて第１周波数帯域と第２周波数帯域の交換を要求し、第１周波数帯域と第２周波数帯域の交換が隣接基地局により認められれば、第２基地局は、第１周波数帯域を用いて端末機にデータを送信する。
【０１３１】
本発明の実施形態は、多様なコンピュータで具現される動作を行なうためのプログラム命令を含むコンピュータ読み出し可能な媒体を含む。また、本発明の実施形態に係るデータ送信時間区間又は休止時間区間を含むデータフレームは、多様なコンピュータ手段を介して実行できるプログラム命令形態に具現され、コンピュータ読取可能な記録媒体に記録できる。前記コンピュータ読取可能な媒体は、プログラム命令、データファイル、データ構造などを単独又は組み合わせて含むこともできる。前記媒体に記録されるプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェア階層で作動するように構成され、その逆も同様である。
【０１３２】
本発明は、上述したように、限定された実施形態と図面によって説明したが、上記の実施形態に限定されることなく、本発明が属する分野における通常の知識を有する者であれば、このような実施形態の説明にづいて多様な修正及び変形が可能であろう。
【０１３３】
従って、本発明の範囲は上記に説明した実施形態に限定されて決められてはならず、後述する特許請求の範囲だけでなく、この特許請求の範囲と均等なものによって定められなければならない。
【符号の説明】
【０１３４】
１１０、１５０、２１０、２５０、３１０    周波数帯域
１１１、１５１、２１１、２５１    第１周波数帯域
１１２、１５２、２１３、２５２    第２周波数帯域
１１３、１５３、２１２、２１４、２１６    保護帯域
１２１、１６１、２２１、２６１、３２０、５６０    第１基地局
１２２、１６２、２２２、２６２、３３０、５００    第２基地局
１３１、１７０、３４１、５７１    第１端末機
１３２、１８１、３４２、５７２    第２端末機
１４０、１８２、３５０    第３端末機
２１５、２１７    第３、第４周波数帯域
２３１、２３２、２４１、２４２    端末機
３１０    データフレーム
３１１    データ送信区間
３１２    休止時間区間
５１０    受信部
５２０    周波数帯域測定部
５３０    周波数帯域交換決定部
５４０    送信部
５５０    制御部
【図１】
2011526766.tif 000003
【図２】
2011526766.tif 000004
【図３】
2011526766.tif 000005
【図４】
2011526766.tif 000006
【図５】
2011526766.tif 000007
【図６】
2011526766.tif 000008
【図７】
2011526766.tif 000009
【図８】
2011526766.tif 000010
【国際調査報告】
2011526766.tif 000011
2011526766.tif 000012